(57)【要約】【課題】従来と比較してホイルガードの回り止めが確実なグラインダを提供する。【解決手段】バネ受け部材４２は、ホイルガード３０の円筒部４５とリード壁部４１との間に位置する。ネジ４４のネジ軸部４４ａは、バネ受け部材４２のネジ穴４２ａに螺合し、先端が円筒部４５の内側に突出する。ネジ頭部４４ｃは、リード壁部４１の外側に位置する。リード壁部４１とバネ受け部材４２との間には、ネジ４４を周回するようにバネ４３が設けられる。バネ４３は、バネ受け部材４２を円筒部４５の中心軸側に向けて付勢する。円筒部４５の内側に突出したネジ４４の先端がパッキングランドの凹部に嵌ることでホイルガード３０がパッキングランドに対して回り止めされる。使用者が例えばネジ頭部４４ｃを持ってネジ４４を引っ張ると、ネジ４４の先端がパッキングランドの凹部から後退し、回り止めが解除される。【選択図】図３
2016007665.tif 000002
【特許請求の範囲】
【請求項１】
原動機と、
前記原動機を内蔵するハウジングと、
回転工具が装着され、前記原動機によって回転駆動されるスピンドルと、
前記スピンドルに装着された回転工具を覆うホイルガードと、
前記ハウジングに取り付けられ、前記ホイルガードを保持する保持部材と、
前記保持部材に対する前記ホイルガードの回転位置を定める回り止め部品とを備え、
前記保持部材の外周面に凹部と凸部が交互に軸周り方向に配列され、
前記ホイルガードは、前記保持部材の外周面のいずれかの凹部又は凸部と対向する第１の貫通穴又は切欠と、前記第１の貫通穴又は切欠と対向する第２の貫通穴を有する壁部とを含み、
前記回り止め部品は、前記第１の貫通穴又は切欠及び前記第２の貫通穴を貫通する軸部材と、前記軸部材の軸方向への移動に連動して伸縮し前記軸部材を前記保持部材側に向けて付勢するバネとを有する、グラインダ。
【請求項２】
前記回り止め部品は、貫通したネジ穴を有するバネ受部材を有し、前記軸部材は、前記バネ受部材と螺合するネジであり、前記バネは、前記ホイルガードの前記壁部と前記バネ受部材との間に設けられている、請求項１に記載のグラインダ。
【請求項３】
前記回り止め部品は、前記ホイルガードの前記壁部と前記ネジの頭部との間に設けられ前記壁部よりも幅が広いつまみ部材を有し、前記つまみ部材を持って前記ネジを軸方向に引っ張り可能である、請求項２に記載のグラインダ。
【請求項４】
前記ネジは、頭部と前記壁部との間に延長部を有する、請求項２に記載のグラインダ。
【請求項５】
前記保持部材の外周面の凹部に前記軸部材が嵌っているときは、前記ホイルガードは前記保持部材に対して回り止めされ、前記保持部材の外周面の凸部の高さを超えて前記軸部材を引っ張ると、前記ホイルガードは前記保持部材に対して回転可能となる、請求項１から４のいずれか一項に記載のグラインダ。
【請求項６】
前記ホイルガードは、前記保持部材の外周面の凸部の上部と係合して前記保持部材からの抜止めとなる突起部を有する、請求項１から５のいずれか一項に記載のグラインダ。
【請求項７】
前記ホイルガードは、前記保持部材の外周面を囲む筒状部を有し、前記筒状部に前記第１の貫通穴又は切欠が設けられている、請求項１から６のいずれか一項に記載のグラインダ。
【発明の詳細な説明】
【技術分野】
【０００１】
本発明は、砥石等の回転工具により研削等の作業を行うグラインダに関する。
【背景技術】
【０００２】
グラインダは、モータ等の原動機によって回転駆動されるスピンドルを備える。スピンドルには、目的や用途に応じて様々な回転工具が取り付けられる。回転工具は、例えば、円板状の砥石、ブラシ、又はカッターなどである。砥石には、研磨用砥石や切断用砥石が含まれる。ブラシには、ワイヤブラシやワイヤレスブラシが含まれる。カッターには、ダイヤモンドカッターが含まれる。スピンドルに取り付けられる各種回転工具は、「ホイール」とも総称される。グラインダには、回転工具（ホイール）の外周の１／２以上を覆うホイルガードの装着が求められる。ホイルガードの回動位置は、作業の種類に応じて変更できる必要がある。
【０００３】
特許文献１は、携帯用ディスクグラインダのホイルガードに関し、本体側の取付部の外周面の凹部に、ホイルガードのセットリングを貫通するつまみを係合させることで、ホイルガードの回り止めを成している。前記つまみは、セットリング外周面に固着された円筒リングに保持される。円筒リング内には、前記つまみを前記凹部から後退する方向に付勢するバネが設けられている。回り止め状態では、前記つまみに圧入されたピンが前記円筒リングの保持溝と係合し、前記つまみの先端部は前記凹部と係合状態を維持する。回り止めの解除の際には、前記つまみを回して、前記ピンを保持溝から解放溝に移動させ、前記バネの働きにより前記つまみを前記凹部から後退させる。
【先行技術文献】
【特許文献】
【０００４】
【特許文献１】特開平６−３２８３６３号公報
【発明の概要】
【発明が解決しようとする課題】
【０００５】
特許文献１では、本体側の取付部外周面の凹部と係合して回り止めを成すつまみが、バネにより、前記凹部から後退する方向に付勢されている。このため、振動や衝撃が加わった際につまみが回転すると、バネの付勢により意図せず回り止めが解除される可能性がある。
【０００６】
本発明はこうした状況を認識してなされたものであり、その目的は、従来と比較してホイルガードの回り止めが確実なグラインダを提供することにある。
【課題を解決するための手段】
【０００７】
本発明のある態様は、グラインダである。このグラインダは、
原動機と、
前記原動機を内蔵するハウジングと、
回転工具が装着され、前記原動機によって回転駆動されるスピンドルと、
前記スピンドルに装着された回転工具を覆うホイルガードと、
前記ハウジングに取り付けられ、前記ホイルガードを保持する保持部材と、
前記保持部材に対する前記ホイルガードの回転位置を定める回り止め部品とを備え、
前記保持部材の外周面に凹部と凸部が交互に軸周り方向に配列され、
前記ホイルガードは、前記保持部材の外周面のいずれかの凹部又は凸部と対向する第１の貫通穴又は切欠と、前記第１の貫通穴又は切欠と対向する第２の貫通穴を有する壁部とを含み、
前記回り止め部品は、前記第１の貫通穴又は切欠及び前記第２の貫通穴を貫通する軸部材と、前記軸部材の軸方向への移動に連動して伸縮し前記軸部材を前記保持部材側に向けて付勢するバネとを有する。
【０００８】
前記回り止め部品は、貫通したネジ穴を有するバネ受部材を有し、前記軸部材は、前記バネ受部材と螺合するネジであり、前記バネは、前記ホイルガードの前記壁部と前記バネ受部材との間に設けられていてもよい。
【０００９】
前記回り止め部品は、前記ホイルガードの前記壁部と前記ネジの頭部との間に設けられ前記壁部よりも幅が広いつまみ部材を有し、前記つまみ部材を持って前記ネジを軸方向に引っ張り可能であってもよい。
【００１０】
前記ネジは、頭部と前記壁部との間に延長部を有してもよい。
【００１１】
前記保持部材の外周面の凹部に前記軸部材が嵌っているときは、前記ホイルガードは前記保持部材に対して回り止めされ、前記保持部材の外周面の凸部の高さを超えて前記軸部材を引っ張ると、前記ホイルガードは前記保持部材に対して回転可能となってもよい。
【００１２】
前記ホイルガードは、前記保持部材の外周面の凸部の上部と係合して前記保持部材からの抜止めとなる突起部を有してもよい。
【００１３】
前記ホイルガードは、前記保持部材の外周面を囲む筒状部を有し、前記筒状部に前記第１の貫通穴又は切欠が設けられていてもよい。
【００１４】
なお、以上の構成要素の任意の組合せ、本発明の表現を方法やシステムなどの間で変換したものもまた、本発明の態様として有効である。
【発明の効果】
【００１５】
本発明によれば、従来と比較してホイルガードの回り止めが確実なグラインダを提供することができる。
【図面の簡単な説明】
【００１６】
【図１】本発明の実施の形態１に係るグラインダ１の側断面図。
【図２】図１に示すグラインダ１の要部分解斜視図。
【図３】図１に示すグラインダ１の、ホイルガード３０及びその回り止め部品の平面図。
【図４】図３においてネジ４４を引っ張った状態（バネ４３を最大限圧縮した状態）としたホイルガード３０及びその回り止め部品の平面図。
【図５】図３のＡ−Ａ断面図。
【図６】図４のＢ−Ｂ断面図。
【図７】図１に示すグラインダ１のパッキングランド１１の側面図。
【図８】本発明の実施の形態２に係るグラインダの、ホイルガード３０及びその回り止め部品の平面図。
【図９】本発明の実施の形態３に係るグラインダの要部分解斜視図。
【図１０】図９に示すホイルガード３０及びその回り止め部品の平面図。
【図１１】図１０においてネジ４４を引っ張った状態（バネ４３を最大限圧縮した状態）としたホイルガード３０及びその回り止め部品の平面図。
【発明を実施するための形態】
【００１７】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１８】
実施の形態１
図１は、本発明の実施の形態１に係るグラインダ１の側断面図である。図１に示すように、グラインダ１は、回転工具としての砥石ホイール２を備えており、コンクリートや石材などの表面を平坦にする研削作業などに用いられる。砥石ホイール２は、例えばダイヤモンド砥石ホイールである。なお、回転工具としては、円板状の研磨用砥石や切断用砥石の他に、円板状のブラシやカッター等も取付け可能である。グラインダ１は、ハウジング３（例えば樹脂製）と、ギヤケース４とを備える。
【００１９】
ハウジング３は、全体として略円筒形状を成しており、ハウジング３の内部には、原動機としての電動モータ６が収容されている。電動モータ６は、ハウジング３の後端から引き出された電源コード７を介して商用電源等の外部交流電源に接続される。電動モータ６の出力軸６ａの前端部には、第１のベベルギヤ２１が設けられる。ハウジング３には、電動モータ６への通電有無を切り替える電源スイッチ５が設けられる。
【００２０】
ギヤケース４は、ケース本体１０（例えばアルミ合金等の金属製）と、ケース本体１０の開口部を塞ぐ蓋部材としてのパッキングランド１１とを有する。パッキングランド１１は、ケース本体１０に対して、例えばネジ止め等により固定される。パッキングランド１１は、後述のホイルガード３０を保持する保持部材となる。ケース本体１０は、ハウジング３の前端部に取り付けられる。ギヤケース４の内部には、２つの軸受（ニードルベアリング１２及びボールベアリング１３）が設けられており、これら軸受によってスピンドル２０が回転自在に保持されている。スピンドル２０は、電動モータ６の出力軸６ａと直交しており、その一端はパッキングランド１１を貫通して外部に突出している。一方、ギヤケース４内に位置するスピンドル２０の他端には、電動モータ６の出力軸６ａに取り付けられた第１のベベルギヤ２１と噛み合う第２のベベルギヤ２２が設けられる（取り付けられる）。電動モータ６の回転は、第１のベベルギヤ２１及び第２のベベルギヤ２２によって回転方向が９０度変換されるとともに、回転速度が減速されてスピンドル２０に伝達される。すなわち、スピンドル２０は電動モータ６によって回転駆動される。
【００２１】
砥石ホイール２は、ホイルワッシャ及びロックナットによってスピンドル２０に固定され、スピンドル２０と一体的に回転する。ハウジング３に設けられた電源スイッチ５が操作されると、電動モータ６に電力が供給され、電動モータ６の出力軸６ａが回転する。すると、第１のベベルギヤ２１及び第２のベベルギヤ２２を介して出力軸６ａに連結されているスピンドル２０が回転し、スピンドル２０に固定されている砥石ホイール２が回転する。
【００２２】
ギヤケース４には、砥石ホイール２の外周の少なくとも１／２以上を覆うホイルガード３０が取り付けられている。ホイルガード３０は、作業中にその回動位置が変化しないように回り止めされているとともに、回り止めを解除すれば作業内容に合わせて回動位置を変更できるようになっている。以下、ホイルガード３０の取付構成について詳細に説明する。
【００２３】
図２は、図１に示すグラインダ１の要部分解斜視図である。図３は、図１に示すグラインダ１の、ホイルガード３０及びその回り止め部品の平面図である。図４は、図３においてネジ４４を引っ張った状態（バネ４３を最大限圧縮した状態）としたホイルガード３０及びその回り止め部品の平面図である。図５は、図３のＡ−Ａ断面図である。図６は、図４のＢ−Ｂ断面図である。図７は、図１に示すグラインダ１のパッキングランド１１の側面図である。
【００２４】
図２には、パッキングランド１１及びホイルガード３０の他に、ホイルガード３０をパッキングランド１１に取り付けパッキングランド１１に対して回り止めをする回り止め部品が図示されている。回り止め部品は、バネ受け部材４２、バネ４３、及び軸部材としてのネジ４４を含む。バネ受け部材４２は、貫通したネジ穴４２ａを有する例えば金属製の板体である。バネ４３は、例えば圧縮コイルバネである。ネジ４４は、ネジ軸部４４ａ、円柱部４４ｂ、及びネジ頭部４４ｃを含む。ネジ軸部４４ａとネジ頭部４４ｃの間に、円柱部４４ｂが介在する。円柱部４４ｂは、ネジ軸部４４ａより大径かつネジ頭部４４ｃより小径である。
【００２５】
ホイルガード３０は、砥石ホイール２の外周の少なくとも１／２以上を覆うカバー部３１と、カバー部３１の内周部に接続されてパッキングランド１１の外周面１４と対面する筒状部としての円筒部（リング部）４５とを有する。円筒部４５の所定位置には第１の貫通穴４５ａが設けられる。円筒部４５の上端部には、内側（中心軸側）に突出する一対の突起部４０が設けられる。一対の突起部４０は、回転位置が相互に約１８０°異なる位置関係にある。カバー部３１の上面には、第１の貫通穴４５ａと対向する第２の貫通穴４１ａを有するリード壁部４１が立設される。
【００２６】
パッキングランド１１は、ホイルガード３０の円筒部４５の内周面と対面する外周面１４を有する。外周面１４は、円柱側面形状に凹凸を付加した形状であり、軸周り方向に凸部１４ａ及び凹部１４ｂが交互に配列されている。凸部１４ａの上部は、ホイルガード３０の突起部４０を係止する係止部（凹部）１５となっている。凹部１４ｂの幅は、ネジ軸４４ａの先端部の外径と同じ又は僅かに大きい。
【００２７】
図３及び図５に示すように、組立状態においてバネ受け部材４２は、ホイルガード３０の円筒部４５とリード壁部４１との間に位置する。ネジ４４のネジ軸部４４ａは、バネ受け部材４２のネジ穴４２ａに螺合し、先端が円筒部４５の内側に突出する。図５に示すように、ネジ４４の円柱部４４ｂは、リード壁部４１の第２の貫通穴４１ａを貫通し、ネジ頭部４４ｃはリード壁部４１の外側に位置する。リード壁部４１とバネ受け部材４２との間には、ネジ４４を周回するようにバネ４３が設けられる。バネ４３は、バネ受け部材４２を円筒部４５の中心軸側に向けて付勢する。
【００２８】
図４及び図６に示すように、使用者が例えばネジ頭部４４ｃを持ってネジ４４を引っ張ると、ネジ軸部４４ａが螺合しているバネ受け部材４２もネジ４４と共に円筒部４５から後退する方向に移動し、リード壁部４１とバネ受け部材４２との間に設けられたバネ４３が圧縮される。なお、ネジ４４を引っ張るとネジ４４の先端は円筒部４５の内側に突出しなくなる（ネジ４４の先端が凸部１４ａの高さを超える）が、ネジ４４を目一杯引っ張っても、バネ４３が縮みきってそれ以上の圧縮ができなくなることで、ネジ４４の先端は円筒部４５の第１の貫通穴４５ａからは抜けない。使用者がネジ４４を引っ張るのを止めると、バネ４３の弾性力によりネジ４４は前進し、ネジ４４の先端は再度円筒部４５の内側に突出する。
【００２９】
ホイルガード３０をパッキングランド１１に取り付ける際には、まず、ホイルガード３０の突起部４０とパッキングランド１１の凹部１４ｂの位置を合わせた状態で、ネジ４４を引っ張りながらホイルガード３０をパッキングランド１１に対して上方にスライドさせていく。すると、突起部４０は、凹部１４ｂを通って係止部１５と同じ高さになり、ネジ４４の先端は、凸部１４ａの外周面と対向する。また、ホイルガード３０の円筒部４５の内周面は、パッキングランド１１の凸部１４ａの外周面と近接ないし接触する。次に、ネジ４４を引っ張るのを止め、ホイルガード３０を回転させる。すると、ネジ４４の先端は、パッキングランド１１の凹部１４ｂに嵌り（係合し）、パッキングランド１１に対するホイルガード３０の回り止めになる。また、突起部４０は、凸部１４ａの上部の係止部１５に嵌り（凸部１４ａの上部に引っ掛かり）、パッキングランド１１からのホイルガード３０の抜け止めになる。すなわち、ホイルガード３０は、パッキングランド１１に対して回り止めされているときは（ネジ４４の先端が凹部１４ｂに嵌っているときは）、突起部４０が凸部１４ａの上部と係合してパッキングランド１１から下方に抜けないようになっている。ネジ４４の先端部外径と凹部１４ｂの幅がほぼ等しいため、回り止め状態ではホイルガード３０のガタつきはほとんど無い。
【００３０】
ホイルガード３０の回転位置を変更するときは、ネジ４４を引っ張りながらホイルガード３０をパッキングランド１１に対して所望の回転位置まで回転させ、ネジ４４を離してネジ４４の先端を任意の凹部１４ｂに嵌合させればよい。ホイルガード３０をパッキングランド１１から取り外す際には、ネジ４４を引っ張りながらホイルガード３０を回転させて突起部４０と凹部１４ｂの位置を合わせてからホイルガード３０をパッキングランド１１から下方にスライドさせればよい。
【００３１】
本実施の形態によれば、下記の効果を奏することができる。
【００３２】
(1) バネ４３はネジ４４をパッキングランド１１の外周面１４側に向けて付勢しており、振動や衝撃が加わってもネジ４４の先端は凹部１４ｂから容易には抜けないため、パッキングランド１１に対するホイルガード３０の回り止めが確実となる。また、回り止めが解除されない限りは、ホイルガード３０の突起部４０がパッキングランド１１の凸部１４ａの上部（係止部１５）と係合し、パッキングランド１１からのホイルガード３０の下方への抜けが防止されるため、ホイルガード３０の抜止めの確実性も高い。
【００３３】
(2) パッキングランド１１に対するホイルガード３０の抜止め及び回り止めに関する部品が、バネ受け部材４２、バネ４３、及びネジ４４の３点と少なくかつ小型であり、コスト削減と省ペース化に有利である。
【００３４】
(3) バネ受け部材４２に対してネジ軸部４４ａを回転させることで、ネジ４４とバネ受部材４２の相対位置を変化させることができ、ネジ４４が第１の貫通穴４５ａから突出する量を調整することができる。例えばネジ４４が第１の貫通穴４５ａから突出する量が不足している場合、ネジ４４の先端が凹部１４ｂに対して十分に嵌らず、回り止めの機能に不具合が生じる恐れがあるが、このときにバネ受部材４２を回転させてネジ頭部４４ｃに近づくように移動させれば、ネジ４４が第１の貫通穴４５ａから突出する量を増やすことができる。また突出する量が過剰な場合、バネ４３が過剰に圧縮されることになるが、バネ受部材４２を回転させてネジ頭部４４ｃから遠ざかるように移動させれば、ネジ４４が第１の貫通穴４５ａから突出する量を減らすことができる。バネ受部材４２の回転はホイルガード３０との接触によって規制されるため、ネジ４４を回すだけでネジ４４が第１の貫通穴４５ａから突出する量を調整することができ、回り止めの機能を簡単かつ適切に調整することができる。
【００３５】
実施の形態２
図８は、本発明の実施の形態２に係るグラインダの、ホイルガード３０及びその回り止め部品の平面図である。本実施の形態のグラインダは、図３等に示した実施の形態１のものと比較して、ネジ４４の円柱部４４ｂがリード壁部４１から更に外側に延長されネジ頭部４４ｃがリード壁部４１から外側に離間している点で相違し、その他の点で一致する。なお、円柱部４４ｂのうちネジ頭部４４ｃとリード壁部４１との間に位置する部分は、延長部に対応する。本実施の形態によれば、実施の形態１と同様の効果を奏すると共に、ネジ頭部４４ｃがリード壁部４１から離間しているため、使用者はネジ頭部４４ｃを持ってネジ４４を引っ張りやすい（回り止め解除の作業が行いやすい）。
【００３６】
実施の形態３
図９は、本発明の実施の形態３に係るグラインダの要部分解斜視図である。図１０は、図９に示すホイルガード３０及びその回り止め部品の平面図である。図１１は、図１０においてネジ４４を引っ張った状態（バネ４３を最大限圧縮した状態）としたホイルガード３０及びその回り止め部品の平面図である。本実施の形態のグラインダは、図３等に示した実施の形態１のものと比較して、ネジ頭部４４ｃとリード壁部４１との間につまみ部材４６が設けられている点で相違し、その他の点で一致する。つまみ部材４６は、ネジ頭部４４ｃより小径の貫通穴４６ａを有する例えば金属製の板体である。つまみ部材４６は、ネジ頭部４４ｃ及びリード壁部４１より幅が広い。本実施の形態によれば、実施の形態１と同様の効果を奏すると共に、ネジ頭部４４ｃとリード壁部４１との間に両者よりも幅が広いつまみ部材４６を設けているため、使用者はつまみ部材４６を持ってネジ４４を引っ張りやすい（回り止め解除の作業が行いやすい）。
【００３７】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３８】
ホイルガード３０の円筒部４５の第１の貫通穴４５ａは、切欠であってもよい。軸部材は、ネジ４４に限定されず、軸方向への移動に連動してバネを伸縮させることができる他のもの、例えばバネ受け用のフランジ部を一体に有するものであってもよく、この場合にはリード壁部４１はホイルガード３０に対して溶接やネジなどで取り付けられる構成とすることが考えられる。また、円筒部４５の内側に設けられる突起４０は一対以上あってもよく、その個数は奇数でもよい。
【符号の説明】
【００３９】
１  グラインダ、２  砥石ホイール、３  ハウジング、４  ギヤケース、５  電源スイッチ、６  電動モータ（原動機）、６ａ  出力軸、７  電源コード、１０  ケース本体、１１  パッキングランド（保持部材）、１２  ニードルベアリング、１３  ボールベアリング、１４  外周面、１４ａ  凸部、１４ｂ  凹部、１５  係止部（凹部）、２０  スピンドル、２１  第１のベベルギヤ、２２  第２のベベルギヤ、３０  ホイルガード、３１  カバー部、４０  突起部、４１  リード壁部、４１ａ  第２の貫通穴、４２  バネ受け部材、４２ａ  ネジ穴、４３  バネ、４４  ネジ（軸部材）、４４ａ  ネジ軸部、４４ｂ  円柱部、４４ｃ  ネジ頭部、４５  円筒部（リング部）、４５ａ  第１の貫通穴、４６  つまみ部材、４６ａ  貫通穴
【図１】
2016007665.tif 000003
【図２】
2016007665.tif 000004
【図３】
2016007665.tif 000005
【図４】
2016007665.tif 000006
【図５】
2016007665.tif 000007
【図６】
2016007665.tif 000008
【図７】
2016007665.tif 000009
【図８】
2016007665.tif 000010
【図９】
2016007665.tif 000011
【図１０】
2016007665.tif 000012
【図１１】
2016007665.tif 000013